(57)【要約】本開示は、情報検索方法及び装置を提供する。情報検索方法は、ユーザによって入力された検索用語を受信することと、検索用語に基づいて検索結果を獲得することと、検索結果に対応する明細情報を獲得することと、１つまたは複数の単語区分を明細情報から抽出することと、少なくとも１つの単語区分がハイパーリンクラベルを有する１つまたは複数の単語区分を組み合わせて、検索結果のタイトルを生成することと、ハイパーリンクラベルを有する単語区分を組み合わせた後のタイトルを表示のためにユーザ端末に返信することとを含む。方法は、ユーザが検索を開始するのを容易にし得る、また、ユーザが選択するための比較的多くの検索用語を提供し得る。
2018533136.tif 000002
【特許請求の範囲】
【請求項１】
ユーザによって入力された検索用語を受信することと、
前記検索用語に基づいて、検索結果を獲得することと、
前記検索結果に対応する明細情報を獲得することと、
１つまたは複数の単語区分を前記明細情報から抽出することと、
少なくとも１つの単語区分がハイパーリンクラベルを有する前記１つまたは複数の単語区分を組み合わせて、前記検索結果のタイトルを生成することと、
前記ハイパーリンクラベルを有する前記単語区分を前記組み合わせた後の前記タイトルを表示のためにユーザ端末に返信することと、
を含む、情報検索方法。
【請求項２】
各ハイパーリンクラベルを有する単語区分の前記ユーザの選択に関する情報を受信して、前記ユーザが選択した前記単語区分を決定することと、
前記検索用語を前記ユーザが選択した前記単語区分と組み合わせて、新しい検索用語を生成することと、
前記新しい検索用語に基づいて情報を検索すること、及び、検索結果を前記ユーザ端末に返信することと、
をさらに含む、請求項１に記載の方法。
【請求項３】
商品検索において、前記検索結果は、前記検索用語に対応する商品に関する情報を含み、前記検索結果に対応する前記明細情報は、
前記商品のタイトル、
前記商品の特徴データ、及び、
前記商品が属する店の特徴データ
のうちの１つまたは複数を含む、請求項１に記載の方法。
【請求項４】
前記商品の前記タイトルは、前記商品の元のタイトルを含み、１つまたは複数の単語区分を前記明細情報から前記抽出することは、
前記商品の前記元のタイトルの長さを短くして、前記元のタイトルを短いタイトルに変換することと、
前記短いタイトルを１つまたは複数の単語区分に分割することと、
を含む、請求項３に記載の方法。
【請求項５】
前記商品の前記元のタイトルの前記長さを前記短くして、前記元のタイトルを前記短いタイトルに変換することは、
予めセットされた短いタイトルの候補セットであって、複数の短いタイトルを含む前記短いタイトルの候補セットを獲得することと、
前記短いタイトルの候補セットに属する短いタイトルを前記元のタイトルから抽出することと、
を含む、請求項４に記載の方法。
【請求項６】
ユーザによって入力された検索用語を受信するように構成された受信モジュールと、
前記検索用語に基づいて、検索結果を獲得するように構成された第１の獲得モジュールと、
前記検索結果に対応する明細情報を獲得するように構成された第２の獲得モジュールと、
１つまたは複数の単語区分を前記明細情報から抽出するように構成された抽出モジュールと、
少なくとも１つの単語区分がハイパーリンクラベルを有する前記１つまたは複数の単語区分を組み合わせて、前記検索結果のタイトルを生成するように構成された生成モジュールと、
前記ハイパーリンクラベルを有する前記単語区分を前記組み合わせた後の前記タイトルを表示のためにユーザ端末に返信するように構成された送信モジュールと、
を含む、情報検索装置。
【請求項７】
各ハイパーリンクラベルを有する単語区分の前記ユーザの選択に関する情報を受信して、前記ユーザが選択した前記単語区分を決定するように構成された決定モジュールと、
前記検索用語を前記ユーザが選択した前記単語区分と組み合わせて、新しい検索用語を生成するように構成された更新モジュールと、
前記新しい検索用語に基づいて情報を検索し、検索結果を前記ユーザ端末に返信するように構成された検索モジュールと、
をさらに含む、請求項６に記載の装置。
【請求項８】
商品検索において、前記検索結果は、前記検索用語に対応する商品に関する情報を含み、前記検索結果に対応する前記明細情報は、
前記商品のタイトル、
前記商品の特徴データ、及び、
前記商品が属する店の特徴データ
のうちの１つまたは複数を含む、請求項６に記載の装置。
【請求項９】
前記商品の前記タイトルは、前記商品の元のタイトルを含み、前記抽出モジュールは、
前記商品の前記元のタイトルの長さを短くして、前記元のタイトルを短いタイトルに変換するように、且つ、
前記短いタイトルを１つまたは複数の単語区分に分割するように、
構成される、請求項８に記載の装置。
【請求項１０】
前記抽出モジュールが、前記商品の前記元のタイトルの前記長さを短くして、前記元のタイトルを短いタイトルに変換するように構成されることは、
予めセットされた短いタイトルの候補セットであって、複数の短いタイトルを含む前記短いタイトルの候補セットを獲得することと、
前記短いタイトルの候補セットに属する短いタイトルを前記元のタイトルから抽出することと、
を含む、請求項９に記載の装置。
【発明の詳細な説明】
【技術分野】
【０００１】
本開示は、インターネット技術の分野に関し、より詳細には、情報検索方法及び装置に関する。
【背景技術】
【０００２】
ユーザは、入力方法エディタ（ＩＭＥ）を用いて検索用語を入力することによって、情報検索をトリガしてよい。しかしながら、ユーザが、携帯端末のアプリケーションで検索を行う時、携帯端末は比較的サイズが小さいので、ユーザがＩＭＥを用いて検索用語を入力するのは不便である。ユーザが検索用語をより便利に入力できるように、検索用語候補が、ページの入力ボックスのドロップダウンエリアまたはナビゲーションエリアでユーザに表示されてよい。
【０００３】
しかしながら、一般に、ほんの限られた数の検索用語候補が、このような方法を用いて表示され得る。
【発明の概要】
【０００４】
本開示は、関連技術の技術的問題の１つを少なくとも解決することを意図している。
【０００５】
この目的のために、本開示の１つの目的は、情報検索方法を提供することである。方法は、ユーザが検索を開始するのを容易にしてよく、ユーザが選択するための比較的多数の検索用語を提供してよい。
【０００６】
本開示の別の目的は、情報検索装置を提供することである。
【０００７】
上記目的を達成するために、第１の態様において、本開示の実施形態例は、情報検索方法を提供する。情報検索方法は、ユーザによって入力された検索用語を受信することと、検索用語に基づいて検索結果を獲得することと、検索結果に対応する明細情報を獲得することと、明細情報から１つまたは複数の単語区分を抽出することと、少なくとも１つの単語区分がハイパーリンクラベルを有する１つまたは複数の単語区分を組み合わせて、検索結果のタイトルを生成することと、単語区分を組み合わせた後、ハイパーリンクラベルを有するタイトルを表示のためにユーザ端末に返信することと、を含む。
【０００８】
本開示の実施形態例の第１の態様で提供された情報検索方法に従って、１つまたは複数の単語区分が、検索結果に関する明細情報から抽出され、少なくとも１つの単語区分は、検索結果に基づいて新しい検索が開始され得るように、ハイパーリンクラベルを有し、それによって、ユーザの検索開始を容易にする。さらに、組み合わされた単語区分が、タイトルとして使用されるので、無数の単語区分が、理論上、提示され得る。よって、新しい検索用語の数は増加して、よりユーザのニーズを満たし得る。
【０００９】
上記目的を達成するために、第２の態様においては、本開示の実施形態例は、情報検索装置を提供する。情報検索装置は、ユーザによって入力された検索用語を受信するように構成された受信モジュールと、検索用語に基づいて検索結果を獲得するように構成された第１の獲得モジュールと、検索結果に対応する明細情報を獲得するように構成された第２の獲得モジュールと、１つまたは複数の単語区分を明細情報から抽出するように構成された抽出モジュールと、少なくとも１つの単語区分がハイパーリンクラベルを有する１つまたは複数の単語区分を組み合わせて、検索結果のタイトルを生成するように構成された生成モジュールと、ハイパーリンクラベルを有する単語区分を組み合わせた後のタイトルを、表示のためにユーザ端末に返信するように構成された送信モジュールを含む。
【００１０】
本開示の実施形態例の第２の態様で提供される情報検索装置によると、１つまたは複数の単語区分が、検索結果に関する明細情報から抽出され、検索結果に基づいて新しい検索が開始され得るように、少なくとも１つの単語区分は、ハイパーリンクラベルを有し、それによって、ユーザが検索を開始するのを容易にする。さらに、組み合わされた単語区分がタイトルとして使用されるので、無数の単語区分が、理論上、提示され得る。よって、新しい検索用語の数は増加して、よりユーザのニーズを満たし得る。
【００１１】
本開示の一部の追加の態様及び長所を以下に記載する。一部は、以下の記載より明らかとなる、または、本開示の実践により理解され得る。
【００１２】
本開示の上記及び／または追加の態様及び長所は、添付の図面を参照して、実施形態例に関する以下の記載に基づいて、明らかになり、容易に理解されよう。
【図面の簡単な説明】
【００１３】
【図１Ａ】本開示の実施形態例による、情報検索方法の概略フローチャートである。
【図１Ｂ】本開示の実施形態例による、情報検索方法の概略フローチャートである。
【図２】本開示の別の実施形態例による、情報検索方法の概略フローチャートである。
【図３】本開示の実施形態例による、提示された検索結果の図である。
【図４】本開示の別の実施形態例による、情報検索装置の概略構造図である。
【図５】本開示の別の実施形態例による、情報検索装置の概略構造図である。
【発明を実施するための形態】
【００１４】
本開示の実施形態例を以下に詳細に記載する。実施形態例の実施例は、添付の図面で示され、図中、同一または類似の記号は、明細書を通して同一または類似の機能を有する同一または類似の要素または要素を示す。添付図面を参照して記載する以下の実施形態例は、例示的なもので、本開示の説明のみを意図しており、本開示に対する制限と理解すべきではない。逆に、本開示の実施形態例は、添付の請求項の精神及び広い範囲に該当する変更、修正、及び、同等のものを全て含む。
【００１５】
図１Ａは、本開示の実施形態例による、情報検索方法の概略フローチャートである。方法は、以下のステップを含む。
【００１６】
Ｓ１１：ユーザによって入力された検索用語を受信する。
【００１７】
例えば、ユーザは、クライアント端末で検索用語を入力してよい。クライアント端末は、ユーザが入力した検索用語を受信した後、検索用語をサーバ端末に送信してよい。
【００１８】
入力方法を使用して検索用語をクライアント端末に入力することに加えて、ユーザは、ナビゲーションエリアまたはドロップダウンボックス等のエリアで選択した検索用語をクリックまたはタップして、検索用語を入力してもよく、または、音声で検索用語を入力してもよい。当然、検索用語が音声で入力される場合、音声データ受信後、サーバ端末は、最初に、音声認識を行って、音声データをテキストに変換してよく、次に、対応する検索結果を求めてデータベースを検索してよいことは理解されたい。
【００１９】
Ｓ１２：検索結果が、検索用語に基づいて獲得される。
【００２０】
検索用語を受信後、サーバ端末は、検索用語に対応する検索結果を求めてデータベースを検索してよい。
【００２１】
商品検索を実施例にとると、検索用語が「ダウンジャケット」とすると、サーバ端末は、「ダウンジャケット」に対応する商品に関する情報を獲得してよい。例えば、商品に関する情報は、商品のタイトル、商品の写真、商品の詳細等を含む。
【００２２】
Ｓ１３：検索結果に対応する明細情報を獲得する。
【００２３】
明細情報は、検索結果のタイトル、詳細な説明等であってよい。
【００２４】
Ｓ１４：１つまたは複数の単語区分が、明細情報から抽出される。
【００２５】
例えば、サーバ端末は、検索結果のタイトルに対する単語分割とタグ付けを行ってよく、また、１つまたは複数の単語区分をタイトルから抽出、または、タイトル以外の残りの明細情報から単語区分を抽出してよい。
【００２６】
例えば、商品のタイトルは、元のタイトル、または、元のタイトルの長さを短くすることによって取得された短いタイトルを含む。例えば、ユーザが、「ダウンジャケット」を検索する時、取得された検索結果（商品）の元のタイトルは、「Ｎａｎｊｉｒｅｎの中年男性用の新しい厚手のウール襟付きダウンジャケット」であり、次に、キーワードが、元のタイトルから抽出されてよい。
【００２７】
あるいは、元のタイトルは、最初に、元のタイトルの主要な情報を保持する短いタイトルに変換されて、元のタイトルの長さを短くしてよい。例えば、複数の短いタイトルを含む短いタイトルの候補セットが、予め構成されてよい。次に、短いタイトルの候補セットに属する短いタイトルが、元のタイトルから抽出されてよい。例えば、短いタイトルの候補セットは、「厚手のウール襟付きダウンジャケット」、「鮮やかで肉厚の」等を含む。元のタイトルが、短いタイトルの候補セットに属する「厚手のウール襟付きダウンジャケット」を含むので、抽出された短いタイトルは、「厚手のウール襟付きダウンジャケット」である。短いタイトルが獲得された後、キーワードも、短いタイトルから抽出されてよい。
【００２８】
商品のタイトル以外のデータは、例えば、商品の特徴データ、または、商品が属する店の特徴データを含む。例えば、特徴データは、詳細には、セールスポイントである。セールスポイントは、ユーザを引き付け得る、また、商品または店の非物理的属性を記述し得る統計的情報を指す。商品の特徴データは、例えば、「非常に高評価」、「大学生に人気」、「太った女性に朗報」等を含む。店の特徴データは、例えば、「ゴールドクラスの販売者」、「６年目の店舗」等を含む。次に、キーワードが、タイトル以外のデータから抽出されてよい。
【００２９】
Ｓ１５：１つまたは複数の単語区分が組み合わされて、検索結果のタイトルを生成する。ここで、少なくとも１つの単語区分は、ハイパーリンクラベルを有する。
【００３０】
例えば、検索結果は、元のタイトルを含む。元のタイトルが、「Ｎａｎｊｉｒｅｎの中年男性用の新しい厚手のウール襟付きダウンジャケット」である場合、単語区分「厚手の」、「ウール襟付き」及び「ダウンジャケット」が、元のタイトルから抽出されてよい。ハイパーリンクラベルを有する単語区分が「厚手の」であるとすると、取得される検索結果のタイトルは、「厚手のウールジャケット」であり、ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【００３１】
Ｓ１６：ハイパーリンクラベルを有する単語区分を組み合わせた後のタイトルは、表示のためにユーザ端末に返信される。
【００３２】
例えば、サーバ端末は、組み合わせ後のタイトルをクライアント端末に送信し、クライアント端末は、検索結果ページの商品タイトル提示位置に、「厚手のウールジャケット」等の処理済みタイトルを提示する。
【００３３】
図１Ｂを参照すると、ある実施形態例においては、方法は、以下のステップをさらに含んでよい。
【００３４】
Ｓ１７：ハイパーリンクラベルを有する単語区分のユーザ選択に関する情報が、受信されて、ユーザが選択した単語区分を決定する。
【００３５】
例えば、「厚手のウールジャケット」がユーザに提示された後、ユーザが「厚手の」をクリックまたはタップしたとすると、選択された単語区分は、「厚手の」であると決定される。
【００３６】
Ｓ１８：検索用語は、ユーザが選択した単語区分と組み合わされて、新しい検索用語を生成する。
【００３７】
例えば、新しい検索用語は、「厚手の＋ダウンジャケット」である。
【００３８】
Ｓ１９：情報が、新しい検索用語に基づいて検索され、検索結果が、ユーザ端末に返信される。
【００３９】
例えば、「厚手の＋ダウンジャケット」に対応する検索結果が、検索されて、提示のためにユーザ端末に返信される。
【００４０】
この実施形態例においては、１つまたは複数の単語区分が、検索結果に関する明細情報から抽出され、少なくとも１つの単語区分は、新しい検索が検索結果に基づいて開始され得るように、ハイパーリンクラベルを有し、それによって、ユーザが検索を開始するのを容易にする。さらに、組み合わされた単語区分がタイトルとして使用されるので、無数の単語区分が、理論上、提示され得る。よって、新しい検索用語の数は増加して、よりユーザのニーズを満たし得る。
【００４１】
図２は、本開示の別の実施形態例による、情報検索方法の概略フローチャートである。この実施形態例は、商品検索を実施例として取り上げる。方法は、以下のステップを含む。
【００４２】
Ｓ２１：ユーザによって入力された検索用語を受信する。
【００４３】
例えば、ユーザは、クライアント端末で検索用語を入力してよい。クライアント端末は、ユーザが入力した検索用語を受信後、検索用語をサーバ端末に送信してよい。
【００４４】
入力方法を用いて検索用語をクライアント端末に入力することに加えて、ユーザは、ナビゲーションエリアまたはドロップダウンボックス等のエリアで選択した検索用語をクリックまたはタップして、検索用語を入力してもよく、または、音声によって検索用語を入力してもよい。当然、検索用語が音声によって入力される場合、音声データ受信後、サーバ端末は、最初に、音声認識を行って、音声データをテキストに変換し、次に、対応する検索結果を求めてデータベースを検索してよいことは理解されよう。
【００４５】
Ｓ２２：対応する商品が、検索用語に基づいて獲得され、商品の元のタイトルが獲得される。
【００４６】
検索用語受信後、サーバ端末は、検索用語に対応する検索結果を求めてデータベースを検索してよい。
【００４７】
商品検索を実施例にとると、検索用語が、「ダウンジャケット」であるとすると、サーバ端末は、「ダウンジャケット」に対応する商品に関する情報を獲得してよい。例えば、商品に関する情報は、商品の元のタイトル、商品の写真、商品の詳細等を含む。
【００４８】
例えば、元のタイトルは、「Ｎａｎｊｉｒｅｎの中年男性用新しい厚手のウール襟付きダウンジャケット」である。
【００４９】
Ｓ２３：予めセットされた短いタイトルの候補セットを獲得する。
【００５０】
ここで、短いタイトルの候補セットは、サーバ端末で予めセットされてよい。短いタイトルの候補セットは、複数の短いタイトルを含む。例えば、短いタイトルの候補セットは、「厚手のウール襟付きダウンジャケット」、「鮮やかで肉厚の」等を含む。
【００５１】
Ｓ２４：短いタイトルが、元のタイトルから抽出される。
【００５２】
短いタイトルの候補セットに属する短いタイトルが、元のタイトルから抽出される。例えば、元のタイトルは、短いタイトルの候補セットに属する「厚手のウール襟付きダウンジャケット」を含むので、抽出された短いタイトルは、「厚手のウール襟付きダウンジャケット」である。
【００５３】
さらに、短いタイトルが元のタイトルから抽出される前に、単語分割、品詞タグ付け等が、元のタイトルに対してさらに行われて、短いタイトルの抽出を容易にしてよい。
【００５４】
Ｓ２５：短いタイトルは、１つまたは複数の単語区分に分割される。
【００５５】
この実施形態例においては、獲得された単語区分が短いタイトルから抽出されるとすると、例えば、短いタイトルは、「厚手の」及び「ダウンジャケット」に分割される。
【００５６】
単語区分は、商品のタイトル以外のデータから抽出されてもよいことは理解されたい。商品のタイトル以外のデータは、例えば、商品の特徴データ、または、商品が属する店の特徴データを含む。例えば、特徴データは、詳細には、セールスポイントである。セールスポイントは、ユーザを引き付け得る、また、商品または店の非物理的属性を記述し得る統計的情報を指す。商品の特徴データは、例えば、「非常に高評価」、「大学生に人気」、「太った女性に朗報」等を含む。店の特徴データは、例えば、「ゴールドクラスの販売者」、「６年目の店舗」等を含む。次に、キーワードが、タイトル以外のデータから抽出されてよい。
【００５７】
Ｓ２６：ハイパーリンクラベルが、少なくとも１つの単語区分に追加され、ハイパーリンクラベルを有する単語区分は、他の単語区分と組み合わされて、処理済み商品タイトルを取得する。
【００５８】
例えば、処理済みタイトルは、「厚手のウールジャケット」である。ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【００５９】
Ｓ２７：処理済み商品タイトルを提示する。
【００６０】
例えば、処理済み検索結果を獲得後、サーバ端末は、処理済み検索結果をクライアント端末に送信してよく、クライアント端末は、検索結果ページの商品タイトル提示位置に処理済みタイトルを提示する。例えば、図３を参照すると、処理済み商品タイトル３１が提示され、処理済みタイトルは、「厚手のウールジャケット」である。
【００６１】
Ｓ２８：ユーザが処理済み商品タイトルのハイパーリンクラベルを有する単語区分をクリックした後、検索用語と、クリックされた単語区分とを新しい検索用語として用いて、新しい検索が開始される。
【００６２】
例えば、ユーザが「厚手の」をクリックまたはタップした後、「厚手のダウンジャケット」を新しい検索用語として使用する新しい検索が開始されてよく、「厚手のダウンジャケット」に対応する検索結果が提示される。
【００６３】
この実施形態例においては、ハイパーリンクラベルを有する単語区分を含む商品の処理済みタイトルを提示することによって、検索結果に基づいた新しい検索が、開始されてよい。キーワードが商品のタイトルに対して提示されると、無数の単語区分が、理論上、提示され得る。従って、新しい検索用語の数は増加して、よりユーザのニーズを満たし得る。この実施形態例においては、キーワードが、商品のタイトルに追加されることによって、ユーザは、便利にキーワードを閲覧し得る。ユーザは、ハイパーリンクラベルを有する単語区分をクリックまたはタップすることによって、新しい検索を開始してよく、それによって、検索を加速する。商品の特徴データまたは店の特徴データから単語区分を抽出することによって、ユーザは、本来は使用されなかったであろう検索用語に基づいた検索を開始するように誘導されてよい。
【００６４】
図４は、本開示の別の実施形態例による、情報検索装置の概略構造図である。システム４０は、受信モジュール４１、第１の獲得モジュール４２、第２の獲得モジュール４３、抽出モジュール４４、生成モジュール４５、及び、送信モジュール４６を含む。
【００６５】
受信モジュール４１は、ユーザが入力した検索用語を受信するように構成される。
【００６６】
例えば、ユーザは、クライアント端末で検索用語を入力してよい。クライアント端末は、ユーザが入力した検索用語を受信後、検索用語をサーバ端末に送信してよい。
【００６７】
入力方法を用いて、検索用語をクライアント端末に入力することに加えて、ユーザは、ナビゲーションエリアまたはドロップダウンボックス等のエリアで選択した検索用語をクリックまたはタップして、検索用語を入力してもよい、または、音声によって検索用語を入力してもよい。当然、検索用語が音声で入力される場合、音声データ受信後、サーバ端末は、最初に、音声認識を行って、音声データをテキストに変換し、次に、対応する検索結果を求めてデータベースを検索してよいことは理解されたい。
【００６８】
第１の獲得モジュール４２は、検索用語に基づいて、検索結果を獲得するように構成される。
【００６９】
検索用語受信後、サーバ端末は、検索用語に対応する検索結果を求めてデータベースを検索してよい。
【００７０】
商品検索を実施例にとると、検索用語が、「ダウンジャケット」であるとすると、サーバ端末は、「ダウンジャケット」に対応する商品に関する情報を獲得してよい。例えば、商品に関する情報は、商品のタイトル、商品の写真、商品の詳細等を含む。
【００７１】
第２の獲得モジュール４３は、検索結果に対応する明細情報を獲得するように構成される。
【００７２】
オプションで、商品検索において、検索結果は、検索用語に対応する商品に関する情報を含んでよく、検索結果に対応する明細情報は、以下の１つまたは複数を含んでよい。
商品のタイトル、
商品の特徴データ、及び
商品が属する店の特徴データ。
【００７３】
抽出モジュール４４は、１つまたは複数の単語区分を明細情報から抽出するように構成される。
【００７４】
例えば、サーバ端末は、検索結果のタイトルに対して単語分割とタグ付けを行ってよく、１つまたは複数の単語区分を検索結果から抽出してよく、または、タイトル以外の他の明細情報から単語区分を抽出してよい。
【００７５】
例えば、商品のタイトルは、元のタイトル、または、元のタイトルの長さを短くすることによって取得された短いタイトルを含む。例えば、ユーザが、「ダウンジャケット」を検索する時、取得された検索結果（商品）の元のタイトルは、「Ｎａｎｊｉｒｅｎの中年男性用新しい厚手のウール襟付きダウンジャケット」であり、次に、キーワードが、元のタイトルから抽出されてよい。
【００７６】
あるいは、元のタイトルが、最初に、元のタイトルの主要な情報を保持する短いタイトルに変換されて、元のタイトルの長さを短くしてよい。例えば、複数の短いタイトルを含む短いタイトルの候補セットが、予め構成されてよい。次に、短いタイトルの候補セットに属する短いタイトルが、元のタイトルから抽出されてよい。例えば、短いタイトルの候補セットは、「厚手のウール襟付きダウンジャケット」、「鮮やかで肉厚の」等を含む。元のタイトルが、短いタイトルの候補セットに属する「厚手のウール襟付きダウンジャケット」を含むので、抽出された短いタイトルは、「厚手のウール襟付きダウンジャケット」である。短いタイトルが獲得された後、キーワードも短いタイトルから抽出されてよい。
【００７７】
商品のタイトル以外のデータは、例えば、商品の特徴データ、または、商品が属する店の特徴データを含む。例えば、特徴データは、詳細には、セールスポイントである。セールスポイントは、ユーザを引き付け得る、また、商品または店の非物理的属性を記述し得る統計的情報を指す。商品の特徴データは、例えば、「非常に高評価」、「大学生に人気」、「太った女性に朗報」等を含む。店の特徴データは、例えば、「ゴールドクラスの販売者」、「６年目の店舗」等を含む。次に、キーワードが、タイトル以外のデータから抽出されてよい。
【００７８】
オプションで、商品のタイトルは、商品の元のタイトルを含み、抽出モジュール４４は、詳細には、
商品の元のタイトルの長さを短くして、元のタイトルを短いタイトルに変換するように、且つ、
短いタイトルを１つまたは複数の単語区分に分割するように、
構成されてよい。
【００７９】
オプションで、抽出モジュール４４は、商品の元のタイトルの長さを短くして、元のタイトルを短いタイトルに変換するように構成され、これは、
予めセットされた短いタイトルの候補セットであって、複数の短いタイトルを含む短いタイトルの候補セットを獲得することと、
短いタイトルの候補セットに属する短いタイトルを元のタイトルから抽出することと、
を含んでよい。
【００８０】
生成モジュール４５は、１つまたは複数の単語区分を組み合わせて、検索結果のタイトルを生成するように構成され、ここで、少なくとも１つの単語区分は、ハイパーリンクラベルを有する。
【００８１】
例えば、検索結果は、元のタイトルを含む。元のタイトルが、「Ｎａｎｊｉｒｅｎの中年男性用新しい厚手のウール襟付きダウンジャケット」である場合、単語区分である「厚手の」、「ウール襟付き」及び「ダウンジャケット」が、元のタイトルから抽出されてよい。ハイパーリンクラベルを有する単語区分が「厚手の」であるとすると、検索結果のタイトルは、「厚手のウールジャケット」であることが取得されてよく、ここで、「厚手の」は、ハイパーリンクが追加された単語区分である。ハイパーリンクは、ウェブサイトで頻繁に使用されるＨＴＭＬ要素である。ハイパーリンクは、ＨＴＭＬ要素を設定することによって、キーワードに追加されてよく、それによって、ページ間のリダイレクトを完了する。
【００８２】
送信モジュール４６は、ハイパーリンクラベルを有する単語区分を組み合わせた後のタイトルを表示のためにユーザ端末に返信するように構成される。
【００８３】
例えば、サーバ端末は、組み合わせ後のタイトルをクライアント端末に送信する。クライアント端末は、検索結果ページの商品タイトル提示位置に、「厚手のウールジャケット」等の処理済みタイトルを提示する。
【００８４】
図５を参照すると、ある実施形態例においては、装置４０は、決定モジュール４７、更新モジュール４８、及び、検索モジュール４９をさらに含む。
【００８５】
決定モジュール４７は、ハイパーリンクラベルを有する単語区分のユーザの選択に関する情報を受信して、ユーザによって選択された単語区分を決定するように構成される。
【００８６】
例えば、「厚手のウールジャケット」がユーザに提示された後、ユーザが「厚手の」をクリックまたはタップすると仮定すると、選択された単語区分は「厚手の」であると決定される。
【００８７】
更新モジュール４８は、検索用語とユーザによって選択された単語区分とを組み合わせて、新しい検索用語を生成するように構成される。
【００８８】
例えば、新しい検索用語は、「厚手の＋ダウンジャケット」である。
【００８９】
検索モジュール４９は、新しい検索用語に基づいて情報を検索するように、且つ、検索結果をユーザ端末に返信するように構成される。
【００９０】
例えば、「厚手の＋ダウンジャケット」に対応する検索結果が、検索され、提示のためにユーザ端末に返信される。
【００９１】
この実施形態例においては、１つまたは複数の単語区分が、検索結果に関する明細情報から抽出され、少なくとも１つの単語区分は、新しい検索が検索結果に基づいて開始され得るように、ハイパーリンクラベルを有し、それによって、ユーザが検索を開始するのを容易にする。さらに、組み合わされた単語区分がタイトルとして使用されるので、無数の単語区分が、理論上、提示され得る。よって、新しい検索用語の数は増加して、よりユーザのニーズを満たし得る。
【００９２】
本開示に記載において、「第１」、「第２」等の用語は、単に、記載目的であり、相対的な重要性を示す、または示唆していると理解すべきではないことに注意されたい。さらに、本開示の記載においては、「複数の」は、別段の記載がない限り、２つ以上を意味する。
【００９３】
本明細書にフローチャートまたは他の方法で記載されたプロセスまたは方法はいずれも、特定の論理関数またはプロセスのステップを実施するための１つまたは複数の実行可能命令を含むコードのモジュール、セグメント、または、部分を示すと理解されよう。本開示の好ましい実施形態例の範囲は、追加の実施態様を含む。関数は、本明細書に示すまたは記載するシーケンスとは異なるシーケンスで生じてよいことを当業者は理解されよう。例えば、関数は、関連する機能に応じて、実質的に並列で、または、逆のシーケンスで実行されてよい。
【００９４】
本開示の各部分は、ハードウェア、ソフトウェア、ファームウェア、または、それらの組み合わせによって実施されてよいことは理解されたい。上記実施態様において、複数のステップまたは方法は、メモリに記憶され、且つ、システムを実行する適切な命令によって実行されるソフトウェアまたはファームウェアによって実施されてよい。例えば、ハードウェアによって実施される場合、当分野で周知の以下の技術のいずれか、または、それらの組み合わせによって、別の実施形態例として実施されてよい。それらの技術とは、データ信号の論理関数を実施する論理ゲート回路を有するディスクリート論理回路、適切な組み合わせ論理ゲート回路を有する特定用途向け集積回路、プログラマブルゲートアレイ（ＰＧＡ）、フィールドプログラマブルゲートアレイ（ＦＰＧＡ）等である。
【００９５】
当業者は、上記実施形態例の方法のステップの全てまたは一部の実施は、関連するハードウェアに命令するプログラムによって完成されてよいことが理解されよう。プログラムは、コンピュータ可読記憶媒体に記憶されてよい。プログラムが実行されると、方法の実施形態例のステップのうちの１つまたはステップの組み合わせが行われる。
【００９６】
さらに、本開示の実施形態例の機能ユニットは、１つの処理ユニットに統合されてよい、または、各ユニットは、物理的に単独で存在してよく、または、２つ以上のユニットが、１つのユニットに統合されてよい。統合されたユニットは、ハードウェアの形態で、または、ソフトウェア機能ユニットの形態で実施されてよい。統合されたユニットは、ソフトウェア機能ユニットの形態で実施され、独立した製品として販売または使用される時、コンピュータ可読記憶媒体に記憶されてよい。
【００９７】
上記記憶媒体は、リードオンリメモリ（ＲＯＭ）、磁気ディスク、光学ディスク等であってよい。
【００９８】
明細書における「実施形態例」、「一部の実施形態例」、「実施例」、「特定の実施例」及び「一部の実施例」等の句への言及は、実施形態例（複数可）または実施例（複数可）と共に記載された特定の特徴、構造、材料、または、特性が、本開示の少なくとも１つの実施形態例または実施例に含まれることを意味する。明細書においては、それらの句の概略的表現は、同じ実施形態例や実施例を必ずしも指してはいない。さらに、記載された特定の特徴、構造、材料、または、特性は、１つまたは複数の実施形態例または実施例において任意の適切な方法で組み合わされてよい。
【００９９】
本開示の実施形態例を図に示し、記載したが、上記実施形態例は、例示的なもので、本開示への制限と解釈すべきではないことを理解されたい。当業者は、本開示の範囲を逸脱することなく、上記実施形態例に変更、修正、置き換え、変形を行ってよい。
【図１Ａ】
2018533136.tif 000003
【図１Ｂ】
2018533136.tif 000004
【図２】
2018533136.tif 000005
【図３】
2018533136.tif 000006
【図４】
2018533136.tif 000007
【図５】
2018533136.tif 000008
【国際調査報告】
2018533136.tif 000009
2018533136.tif 000010
2018533136.tif 000011
2018533136.tif 000012